(57)【要約】【課題】  ケーブルの種類によらず多くの情報を高い信頼性にて長期間保持可能とし、しかも耐外傷性を高める。【解決手段】  本発明のケーブル１０は、外被１１に、非接触にて電子情報の送受信が可能な情報記録用ＩＣチップ１２が埋め込まれている。ＩＣチップ１２に、ケーブル１０の種類、ケーブルコア１８に含まれる導電線や光ファイバの数及び種類、ケーブル１０の製造履歴あるいはケーブル１０が敷設されている使用区間などの電子情報が記録されている。敷設されたケーブル１０のＩＣチップ１２に対して非接触にて電子情報の読み取りや書き込みを行う。【選択図】      図１
2005203278.tif 000002
【特許請求の範囲】
【請求項１】
情報記録用ＩＣチップを備えたことを特徴とするケーブル。
【請求項２】
請求項１に記載のケーブルであって、
前記ＩＣチップは、アンテナ内蔵型ＩＣチップであることを特徴とするケーブル。
【請求項３】
請求項２に記載のケーブルであって、
前記ＩＣチップは、当該ケーブルの内部に配置されていることを特徴とするケーブル。
【請求項４】
請求項２または３に記載のケーブルであって、
前記ＩＣチップは、当該ケーブルが有するスロット溝内に配置されていることを特徴とするケーブル。
【請求項５】
請求項１から３の何れか１項に記載のケーブルであって、
前記ＩＣチップは、当該ケーブルの外被に形成された突起に配置されていることを特徴とするケーブル。
【請求項６】
請求項１から５の何れか１項に記載のケーブルであって、
前記ＩＣチップは、当該ケーブルの長手方向に沿って複数設けられ、隣り合う前記ＩＣチップが当該ケーブルの断面周方向の異なる位置に配置されていることを特徴とするケーブル。
【請求項７】
請求項６に記載のケーブルであって、
前記ＩＣチップは、当該ケーブルの長手方向に沿って螺旋状に配置されていることを特徴とするケーブル。
【請求項８】
ケーブルに記録された電子情報を非接触方式で読み取ることを特徴とする情報認識方法。
【請求項９】
ケーブルに記録された電子情報を非接触方式で更新することを特徴とする情報管理方法。
【発明の詳細な説明】
【技術分野】
【０００１】
本発明は、各種のケーブル及び情報認識方法並びに情報管理方法に関する。
【背景技術】
【０００２】
従来、光ケーブルや電力ケーブルなどの各種ケーブルに、ケーブルの種類、そのケーブルに含まれる導電線や光ファイバの数及び種類、ケーブルの製造履歴あるいはそのケーブルが敷設されている使用区間などの情報を付与することが行われている。
【０００３】
ケーブルに各種の情報を付与しておくことにより、例えば一旦敷設されたケーブルから中間分岐等の作業を行う際に、その情報に基づいて適切な作業を実施することができる。
【０００４】
また、ケーブルに情報を付与する技術としては、タグを直接ケーブルに取り付けることや、ケーブルの外被の表層部に磁性体を含有するマーク層を設け、このマーク層に、各種の情報を磁気的に記録しておくものが知られている（例えば、特許文献１参照）。
【０００５】
【特許文献１】特開２００１−２１７７９号公報
【発明の開示】
【発明が解決しようとする課題】
【０００６】
ところで、タグの取り付けによってケーブルに情報を付与する場合は、ケーブル敷設現場で作業者が情報を書き込むという煩雑な作業が要求される。また、近年のケーブルはその記録しておくべき情報量が膨大となる傾向にあり、所望の情報の全てをタグに記録しておくことは困難であった。
【０００７】
また、取り付けたタグを第三者が見ることでそのケーブルの敷設形態を容易に知られてしまうため、ケーブルの保安の面で好ましくなかった。
【０００８】
また、ケーブルの敷設環境によっては、タグが破損してしまったりケーブルから外れて紛失してしまったりすることがあった。
【０００９】
また、磁気的に情報を記録する上記の技術は、電力ケーブル等の磁界を発生させてしまうケーブルには適用することができなかった。また、光ケーブルであっても給電線との複合形態をもつケーブルでは、磁界が発生してしまうため、適用することができなかった。
【００１０】
しかも、磁気情報の読み取り装置との関係上、ケーブル表層部に磁性体を埋め込んでいることから、ケーブル敷設時や工事中に外傷を受けやすく、データ保持の信頼性が低かった。
また、外傷を考慮して磁性体をケーブル内に埋め込むことも考えられるが、磁気的なデータ記録方式では、非接触による情報の読み取り及び書き込みはできず、内部埋め込み型は現実的ではなかった。
【００１１】
また、ケーブルは、その寿命が例えば２０年以上と長いものが多く、使用環境上、外部からの磁気的影響を受ける可能性が高いため、やはり、データ保持の信頼性が低かった。
さらには、磁性体への磁気的な情報の記録は、その記録容量が小さく、例えば、ケーブルの製造履歴や種類などの各種詳細情報を十分に記録することが困難であった。
【００１２】
本発明は、ケーブルの種類によらず多くの情報を高い信頼性で長期間保持することができ、しかも耐外傷性にも優れたケーブル及びケーブルに対する情報認識方法並びに情報管理方法を提供することを目的としている。
【課題を解決するための手段】
【００１３】
上記目的を達成することのできる本発明のケーブルは、情報記録用ＩＣチップを備えたことを特徴としている。
また、本発明のケーブルにおいて、前記ＩＣチップは、アンテナ内蔵型ＩＣチップであることが好ましい。
さらに、本発明のケーブルにおいて、前記ＩＣチップは、当該ケーブルの内部に配置されていることが好ましい。
また、本発明のケーブルにおいて、スロット型光ファイバケーブルでは、前記ＩＣチップは、当該ケーブルが有するスロット溝内に配置されていることが好ましい。
【００１４】
また、本発明のケーブルにおいて、前記ＩＣチップは、当該ケーブルの外被に形成された突起に配置されていることが好ましい。
また、本発明のケーブルにおいて、前記ＩＣチップは、当該ケーブルの長手方向に沿って複数設けられ、隣り合う前記ＩＣチップが当該ケーブルの断面周方向の異なる位置に配置されていることが好ましい。
また、前記ＩＣチップは、当該ケーブルの長手方向に沿って螺旋状に配置されていることが好ましい。
【００１５】
また、本発明の情報認識方法は、ケーブルに記録された電子情報を非接触方式で読み取ることを特徴としている。
さらに、本発明の情報管理方法は、ケーブルに記録された電子情報を非接触方式で更新することを特徴としている。
【発明の効果】
【００１６】
本発明のケーブルによれば、ケーブルの種類に依存することなくケーブルの種類、そのケーブルに含まれる導電線や光ファイバの数及び種類、ケーブルの製造履歴あるいはそのケーブルが敷設されている使用区間などの電子情報の読み取りや書き込みを行うことができる。また、磁気による記録方式と比較して、周囲の磁気の影響を受けないため、例えば、地中へのケーブルの敷設後においても電子情報を高い信頼性にて長期間保持することができる。
【発明を実施するための最良の形態】
【００１７】
以下、本発明を実施するための最良の形態について図面を参照して説明する。
（第１実施形態）
図１は、第１実施形態のケーブルの概略構造を示すケーブルの概略斜視図である。
図１に示すように、このケーブル１０は、その外周側が外被１１によって覆われている。そして、このケーブル１０は、その外被１１の内側に、各種の導線や光ファイバが適宜配置されたケーブルコア１８を備えている。
このケーブル１０の外被１１は、合成樹脂から形成されたものであり、ダイス押し出しによりケーブルコア１８の周囲に一体的に被覆されて形成されている。
【００１８】
外被１１には、その内部に、情報記録用ＩＣ(integrated circuit)チップ１２が埋め込まれている。このＩＣチップ１２は、例えば約０.４ｍｍ角，厚さ約６０μに形成されたアンテナ内蔵型のチップであり、外部からの電波によりデータを認識可能な非接触型である。このＩＣチップ１２は、２４５ＧＨｚの高周波回路と、１２８ビットのＲＯＭを内蔵し、最大で３８桁の数字の記憶が可能である。
【００１９】
そして、このケーブル１０の外被１１には、上記のＩＣチップ１２が、ダイス押し出し時に埋め込まれている。なお、複数のＩＣチップ１２がケーブル１０の長手方向にわたって埋め込まれていることが好ましい。その場合、ケーブル１０の長手方向の何れの箇所からもＩＣチップ１２にアクセスすることができる。
【００２０】
このケーブル１０の外被１１に埋め込まれたＩＣチップ１２には、そのＲＯＭに、このケーブル１０に関する各種の電子情報が記憶されている。
ここで、このＩＣチップ１２に記憶されている電子情報としては、例えば、ケーブル１０の種類、ケーブルコア１８に含まれる導電線や光ファイバの数及び種類、ケーブル１０の製造履歴あるいはケーブル１０が敷設されている使用区間などであり、例えば、ケーブル１０が光ファイバ心線を内蔵した光ケーブルである場合には、その光ファイバ心線の伝送特性データなども含まれる。
なお、ＩＣチップ１２に記録される電子情報は、ケーブル１０の敷設後に書き込むこともできる。
【００２１】
このように、第１実施形態のケーブル１０によれば、ケーブル１０の種類に依存することなく各種の電子情報の読み取りや書き込みを行うことができる。また、磁気による記録方式と比較して、ケーブル１０の構成に起因して発生する磁気や周囲の磁気の影響を受けないため、地中へのケーブル１０の敷設後においても記録データを高い信頼性で長期間保持することができる。
【００２２】
また、ＩＣチップ１２が、アンテナ内蔵型ＩＣチップであるので、非接触方式でデータの送受信を行うことができ、地中へのケーブル１０の敷設後でも、ケーブル１０の電子情報の読み書きを行うことができる。しかも、ケーブル１０は、ＩＣチップ１２が外被１１に埋め込まれているため、ＩＣチップ１２の耐外傷性に優れた構造となっている。
【００２３】
そして、ＩＣチップ１２から電子情報を読み取る情報認識方法または電子情報を更新する情報管理方法によれば、いずれも非接触方式にて行うので、地中へのケーブル１０の敷設後においても、その敷設状態などに影響を受けることなく、容易にかつ確実に電子情報の読み取りあるいは更新を行うことができる。
【００２４】
なお、このＩＣチップ１２としては、記憶した電子情報の書き換えはできずに、書き加えができるものであることが好ましい。そして、このように書き加えができるＩＣチップ１２をケーブル１０の外被１１に埋め込むことにより、例えば、ケーブル１０の工事の履歴情報などを更新して記憶することができる。
また、ケーブル１０に外傷を受けるおそれがない場合は、ＩＣチップ１２を外被１１の表面に設けても良い。
【００２５】
（第２実施形態）
図２は、第２実施形態に係るケーブルの概略構造を示すケーブルの概略斜視図であり、図３は、図２に示したケーブルの要部断面図である。
図２及び図３に示すように、このケーブル２０は、その外周側の外被１１の内側に、中心にテンションメンバー１３を有するスロット１４が配設されている。このスロット１４は、周方向に間隔をあけて形成された複数のスロット溝１５を有しており、これらスロット溝１５内には、光ファイバ心線を並列に配列させて樹脂によって一体化した光ファイバテープ心線１６が積層されて収納されている。
【００２６】
そして、このケーブル２０では、スロット１４のスロット溝１５内に、ＩＣチップ１２が収納されている。
このＩＣチップ１２は、スロット溝１５内における光ファイバテープ心線１６同士の間に配設され、光ファイバテープ心線１６によって挟持されて保持されている。
なお、このＩＣチップ１２を保持する光ファイバテープ心線１６としては、通信に使用しないダミーのものを用いることが好ましい。
【００２７】
そして、この第２実施形態のケーブル２０によれば、ＩＣチップ１２がスロット１４に形成されたスロット溝１５内に収納されているため、外被１１に埋め込んだ場合に受けるおそれのある外部からの側圧の影響もなくすことができる。これにより、ＩＣチップ１２のさらに優れた耐外傷性を得ることができる。
【００２８】
（第３実施形態）
図４は、第３実施形態のケーブルの概略構造を示すケーブルの概略斜視図である。
図４に示すように、このケーブル３０は、外被１１に、複数のＩＣチップ１２が長手方向に間隔をあけて埋め込まれている。
なお、このＩＣチップ１２の配設間隔は、アクセス可能な距離、すなわちＩＣチップ１２に記憶されている電子情報を読み取る読み取り機による読み取り可能な距離に応じて決められる。つまり、ケーブル３０の長手方向に隣り合うＩＣチップ１２同士は、ケーブル３０の長手方向におけるいかなる場所においても電子情報を読み取り可能な距離に設けられている。
【００２９】
これら複数のＩＣチップ１２は、ケーブル３０の長手方向に隣り合うＩＣチップ１２同士が、ケーブル３０の周方向の異なる位置に配置されている。また、その配置パターンは、ケーブル３０の長手方向に沿った螺旋状であると、何れの方向からもアクセスしやすくなるため、なお良い。
なお、ケーブル３０の長手方向に隣り合うＩＣチップ１２同士の周方向へのずれ角度としては、３０°から６０°程度が好ましく、例えば４５°とすれば良い。
【００３０】
そして、この第３実施形態のケーブル３０によれば、ＩＣチップ１２を螺旋状に配置して、長手方向に隣り合うＩＣチップ１２が周方向の異なる位置に配置されているため、ケーブル３０を移動または回転させることなく、ＩＣチップ１２へアクセスを容易にかつ確実に行うことができる。
【００３１】
（第４実施形態）
図５は、第４実施形態のケーブルの概略構造を示すケーブルの概略斜視図である。
図５に示すように、このケーブル４０は、外被１１に、長手方向へわたって突起１７が形成されている。この突起１７は、ケーブル４０の種別をユーザに識別させるための目印として、外被１１をダイス押し出しする際に一体に成型したものである。
そして、このケーブル４０には、外被１１に形成された突起１７に、長手方向へ所望の間隔をあけて複数のＩＣチップ１２が埋め込まれて配設されている。
【００３２】
このように、第４実施形態のケーブル４０によれば、外被１１に形成された突起１７にＩＣチップ１２が配設されているため、ＩＣチップ１２の位置特定の容易化を図ることができる。これにより、ＩＣチップ１２へのアクセスを容易にかつ確実に行うことができる。
【００３３】
なお、本発明に係るケーブルは、その種類や形態はあらゆるものを適用でき、電子情報が記録可能な構成となっていれば良い。
【図面の簡単な説明】
【００３４】
【図１】本発明に係る第１実施形態のケーブルの概略構造を示すケーブルの概略斜視図である。
【図２】本発明に係る第２実施形態のケーブルの概略構造を示すケーブルの概略斜視図である。
【図３】本発明に係る図２に示したケーブルの要部断面図である。
【図４】本発明に係る第３実施形態のケーブルの概略構造を示すケーブルの概略斜視図である。
【図５】本発明に係る第４実施形態のケーブルの概略構造を示すケーブルの概略斜視図である。
【符号の説明】
【００３５】
１０、２０、３０、４０  ケーブル
１２  情報記録用ＩＣチップ
１５  スロット溝
１７  突起
【図１】
2005203278.tif 000003
【図２】
2005203278.tif 000004
【図３】
2005203278.tif 000005
【図４】
2005203278.tif 000006
【図５】
2005203278.tif 000007